(57)【要約】【課題】従来のレゾルバステータ構造は、温度センサとしての機能を有していないので、検出対象の近傍に温度センサを別個に設ける必要があり、作業数が増えてしまう。【解決手段】本発明によるレゾルバステータ構造は、端子保持部３１に一対の温度検出用端子ピン１０が設けられるとともに、これら温度検出用端子ピン１０間にサーミスタ１１が接続され、前記温度検出用端子ピン１０間に電圧が印加されることで前記サーミスタ１１の抵抗値が計測され、この計測されたサーミスタ１１の前記抵抗値に基づいて前記サーミスタ１１の温度が検出される構成である。【選択図】図１
2010032291.tif 000002
【特許請求の範囲】
【請求項１】
輪状ステータ鉄心（１）の各磁極（２）に輪状絶縁カバー（３）を介してステータ巻線（４）が巻回され、前記輪状絶縁カバー（３）の一端に設けられた端子保持部（３１）の各角度検出用端子ピン（５）に前記ステータ巻線（４）の一端が接続されるレゾルバステータ構造であって、
前記端子保持部（３１）に設けられた一対の温度検出用端子ピン（１０）と、
前記温度検出用端子ピン（１０）間に接続されたサーミスタ（１１）と
を備え、
前記温度検出用端子ピン（１０）間に電圧が印加されることで前記サーミスタ（１１）の抵抗値が計測され、前記サーミスタ（１１）の前記抵抗値に基づいて前記サーミスタ（１１）の温度が検出されることを特徴とするレゾルバステータ構造。
【請求項２】
前記温度検出用端子ピン（１０）及び前記サーミスタ（１１）を一体に保持するサーミスタホルダ（１３）をさらに備え、
前記温度検出用端子ピン（１０）及び前記サーミスタ（１１）が、前記端子保持部（３１）に設けられた取付け開口部（３２）に対して、前記サーミスタホルダ（１３）によって着脱可能とされていることを特徴とする請求項１記載のレゾルバステータ構造。
【請求項３】
前記サーミスタホルダ（１３）の両側の側面（１３ａ）から突出された一対の突部（１４）と、
前記取付け開口部（３２）の両側の側面（３２ａ）に設けられた一対のガイド溝（３３）と
をさらに備え、
前記取付け開口部（３２）に対する前記サーミスタホルダ（１３）の挿入が前記突部（１４）及び前記ガイド溝（３３）によって案内され、前記突部（１４）が前記ガイド溝（３３）に融着されることで前記サーミスタホルダ（１３）が前記端子保持部（３１）に固定されることを特徴とする請求項２記載のレゾルバステータ構造。
【発明の詳細な説明】
【技術分野】
【０００１】
本発明は、レゾルバステータ構造に関し、特に、端子保持部に設けられた一対の温度検出用端子ピン間にサーミスタを接続し、前記サーミスタの抵抗値に基づいてサーミスタの温度を検出可能とすることで、温度センサとしての機能をレゾルバに付加でき、温度センサを別個に設ける必要性をなくすことができるようにするための新規な改良に関するものである。
【背景技術】
【０００２】
従来用いられていたこの種のレゾルバステータ構造としては、例えば特許文献１等に示されているレゾルバステータ構造が用いられている。図６は、従来のレゾルバステータ構造を示す正面図である。図において、輪状ステータ鉄心１には、周方向Ａに互いに間隔をおいて複数の磁極２が設けられており、これらの磁極２には、輪状絶縁カバー３を介してステータ巻線４が巻回されている。前記輪状絶縁カバー３は、前記輪状ステータ鉄心１に沿って設けられた輪状基部３０と、この輪状基部３０の一端から径方向Ｂに突出した端子保持部３１とを有している。前記端子保持部３１には、インサート成型により複数の角度検出用端子ピン５が一体に設けられている。図示はしないが、各角度検出用端子ピン５には、前記ステータ巻線４の一端が接続されている。そして、外部からの励磁信号（ｓｉｎωｔ）が前記角度検出用端子ピン５を介して前記ステータ巻線４に入力され、ロータ６の回転角度に応じた回転角度信号（ｓｉｎ相信号：ｓｉｎθ・ｓｉｎωｔ、及びｃｏｓ相信号：ｃｏｓθ・ｓｉｎωｔ）が前記角度検出用端子ピン５を介して外部に出力される。
【０００３】
【特許文献１】特開２００８−９９５１９号公報
【発明の開示】
【発明が解決しようとする課題】
【０００４】
上記のような従来のレゾルバステータ構造では、前記回転角度信号に基づいて検出対象の回転角度を検出できるが、前記検出対象の温度を検出することはできない。従って、前記検出対象の温度を監視するためには、前記検出対象の近傍に温度センサを別個に設ける必要があり、作業数が増えてしまう。
【０００５】
本発明は、上記のような課題を解決するためになされたものであり、その目的は、温度センサとしての機能をレゾルバに付加でき、温度センサを別個に設ける必要性をなくすことができるレゾルバステータ構造を提供することである。
【課題を解決するための手段】
【０００６】
本発明に係るレゾルバステータ構造は、輪状ステータ鉄心の各磁極に輪状絶縁カバーを介してステータ巻線が巻回され、前記輪状絶縁カバーの一端に設けられた端子保持部の各角度検出用端子ピンに前記ステータ巻線の一端が接続されるレゾルバステータ構造であって、前記端子保持部に設けられた一対の温度検出用端子ピンと、前記温度検出用端子ピン間に接続されたサーミスタとを備え、前記温度検出用端子ピン間に電圧が印加されることで前記サーミスタの抵抗値が計測され、前記サーミスタの前記抵抗値に基づいて前記サーミスタの温度が検出される。
また、前記温度検出用端子ピン及び前記サーミスタを一体に保持するサーミスタホルダをさらに備え、前記温度検出用端子ピン及び前記サーミスタが、前記端子保持部に設けられた取付け開口部に対して、前記サーミスタホルダによって着脱可能とされている。
また、前記サーミスタホルダの両側の側面から突出された一対の突部と、前記取付け開口部の両側の側面に設けられた一対のガイド溝とをさらに備え、前記取付け開口部に対する前記サーミスタホルダの挿入が前記突部及び前記ガイド溝によって案内され、前記突部が前記ガイド溝に融着されることで前記サーミスタホルダが前記端子保持部に固定される。
【発明の効果】
【０００７】
本発明のレゾルバステータ構造によれば、前記温度検出用端子ピン間に電圧が印加されることで前記サーミスタの抵抗値が計測され、前記サーミスタの前記抵抗値に基づいて前記サーミスタの温度が検出されるので、温度センサとしての機能をレゾルバに付加でき、温度センサを別個に設ける必要性をなくすことができる。
また、前記温度検出用端子ピン及び前記サーミスタが、前記端子保持部に設けられた取付け開口部に対して、前記サーミスタホルダによって着脱可能とされているので、温度センサとしての機能が必要か否かに応じてサーミスタホルダを取り付けるか否かを任意に選択でき、利用者のニーズに柔軟に対応できる。
また、前記取付け開口部に対する前記サーミスタホルダの挿入が前記突部及び前記ガイド溝によって案内され、前記突部が前記ガイド溝に融着されることで前記サーミスタホルダが前記端子保持部に固定されるので、温度センサとしての機能の付加を容易に行うことができ、利便性を向上できる。
【発明を実施するための最良の形態】
【０００８】
以下、本発明を実施するための最良の形態について、図面を参照して説明する。
実施の形態１．
図１は本発明の実施の形態１によるレゾルバステータ構造を示す正面図であり、図２は図１のレゾルバステータ構造を示す背面図であり、図３は図２のレゾルバステータ構造を示す上面図である。なお、従来のレゾルバステータ構造と同一又は同等部分については同一の符号を用いて説明する。図１及び図２に示すように、輪状ステータ鉄心１には、周方向Ａに互いに間隔をおいて複数の磁極２が設けられており、これらの磁極２には、輪状絶縁カバー３を介してステータ巻線４が巻回されている。前記輪状絶縁カバー３には、前記輪状ステータ鉄心１に沿う輪状基部３０と、この輪状基部３０の一端から径方向Ｂに突出した端子保持部３１とが設けられている。
【０００９】
図３に示すように、前記端子保持部３１には、複数の角度検出用端子ピン５と、一対の温度検出用端子ピン１０とが設けられている。各角度検出用端子ピン５は、インサート成形により前記端子保持部３１に一体に設けられており、前記輪状ステータ鉄心１の軸方向Ｃに沿って前記端子保持部３１の第１及び第２端面３１ａ，３１ｂから突出されている。具体的には図示しないが、前記第１端面３１ａ側（正面側）において、前記ステータ巻線４の一端が各角度検出用端子ピン５に接続されている。各角度検出用端子ピン５の一端には、前記ステータ巻線４の一端が各角度検出用端子ピン５に絡げられて溶接されることで形成された球状の溶接部５ａが設けられている。また、各角度検出用端子ピン５には、前記第２端面３１ｂ側（背面側）において、図示しない入出力配線が接続される。すなわち、前記入出力配線と前記角度検出用端子ピン５とを介して、外部からの励磁信号（ｓｉｎωｔ）が前記ステータ巻線４に入力されるとともに、ロータ６（図１参照）の回転角度に応じた回転角度信号（ｓｉｎ相信号：ｓｉｎθ・ｓｉｎωｔ、及びｃｏｓ相信号：ｃｏｓθ・ｓｉｎωｔ）が外部に出力される。
【００１０】
各温度検出用端子ピン１０間には、前記第１端面３１ａ側においてサーミスタ１１が接続されており、このサーミスタ１１は、モールド樹脂１２により覆われている。また、各温度検出用端子ピン１０には、前記第２端面３１ｂ側において、図示しない入出力配線が接続される。ここで、サーミスタ１１は、温度に応じて抵抗値が変化する抵抗体である。従って、前記温度検出用端子ピン１０間に電圧を印加することで前記サーミスタ１１の抵抗値を計測し、この計測されたサーミスタ１１の前記抵抗値に基づいて前記サーミスタ１１の温度を検出できる。これにより、例えばモータ等のレゾルバが取り付けられた検出対象の温度を前記サーミスタ１１の温度に基づいて検出でき、温度センサを別個に設ける必要性を無くすことができる。すなわち、温度センサとしての機能がレゾルバに付加される。
【００１１】
次に、図４は、図１の線ＩＶ−ＩＶに沿う断面図であり、図５は、図４のサーミスタホルダ１３を示す正面図である。図４に示すように、前記端子保持部３１には、第１端面３１ａから第２端面３１ｂまで貫通された取付け開口部３２が設けられており、この取付け開口部３２には、断面Ｌ字状の樹脂で形成されたサーミスタホルダ１３が挿通されている。このサーミスタホルダ１３は、図５に示すように、前記温度検出用端子ピン１０及び前記サーミスタ１１を一体に保持するものであり、これら温度検出用端子ピン１０及びサーミスタ１１を前記取付け開口部３２に対して着脱可能とするものである。これにより、温度センサとしての機能が必要か否かに応じてサーミスタホルダ１３を取り付けるか否かを任意に選択でき、利用者のニーズに柔軟に対応できる。
【００１２】
前記サーミスタホルダ１３には、図５に示すように、両側の側面１３ａから突出された一対の突部１４が設けられている。図１に戻り、前記取付け開口部３２には、両側の側面３２ａに前記輪状ステータ鉄心１の軸方向に沿って延在された一対のガイド溝３３が設けられている。前記取付け開口部３２に対する前記サーミスタホルダ１３の挿入は、これら突部１４及びガイド溝３３によって案内される。そして、前記サーミスタホルダ１３が前記取付け開口部３２に挿入された後に、例えば超音波溶融治具等により前記突部１４が前記ガイド溝３３に融着されることで、前記サーミスタホルダ１３が前記端子保持部３１に固定される。これにより、温度センサとしての機能の付加を容易に行うことができ、利便性を向上できる。
【図面の簡単な説明】
【００１３】
【図１】本発明の実施の形態１によるレゾルバステータ構造を示す正面図である。
【図２】図１のレゾルバステータ構造を示す背面図である。
【図３】図２のレゾルバステータ構造を示す上面図である。
【図４】図１の線ＩＶ−ＩＶに沿う断面図である。
【図５】図４のサーミスタホルダを示す正面図である。
【図６】従来のレゾルバステータ構造を示す正面図である。
【符号の説明】
【００１４】
１  輪状ステータ鉄心
２  磁極
３  輪状絶縁カバー
４  ステータ巻線
５  角度検出用端子ピン
１０  温度検出用端子ピン
１１  サーミスタ
１３  サーミスタホルダ
１４  突部
３１  端子保持部
３２  取付け開口部
３３  ガイド溝
【図１】
2010032291.tif 000003
【図２】
2010032291.tif 000004
【図３】
2010032291.tif 000005
【図４】
2010032291.tif 000006
【図５】
2010032291.tif 000007
【図６】
2010032291.tif 000008